(57)【要約】【課題】サッシの障子を構成する縦框について、火災発生時にも室内外方向の振れを防止して確実に室内側面を縦枠の気密材に当接した状態を維持し、隙間の発生を防止することのできるサッシを提供する。【解決手段】縦框２２の上端部には上レール部１０ａに摺接する案内溝２６ｂを有した振止部品２６が設けられ、振止部品２６は、案内溝２６ｂを有する樹脂製の本体部２６ａと、本体部２６ａに対して取付けられる金属製の固定部２６ｄとを有し、本体部２６ａは、縦枠１２の長手方向に沿って形成されるフィン部１２ａに対して当接自在な樹脂引き寄せ面部２６ｃを有し、固定部２６ｄは、縦框２２に対して固定される縦框固定部２６ｅと、樹脂引き寄せ面部２６ｃと略平行に配置され本体部２６ａ内に埋設される金属引き寄せ面部２６ｆとを有してなる。【選択図】図４
2014070433.tif 000002
【特許請求の範囲】
【請求項１】
建物開口部に設けられる枠体内に障子を走行自在に納めたサッシにおいて、
前記枠体を構成する上枠には前記障子の上辺を案内する上レール部が長手方向に沿って形成され、前記枠体を構成する下枠には前記障子の下辺を案内するレール部が長手方向に沿って形成され、前記障子を構成する縦框の上端部及び／または下端部には前記上レール部またはレール部に摺接する案内溝を有した振止部品が設けられ、
前記振止部品は、前記案内溝を有する樹脂製の本体部と、該本体部に対して取付けられる金属製の固定部とを有し、
前記本体部は、前記枠体を構成する縦枠の長手方向に沿って形成されるフィン部に対して当接自在な樹脂引き寄せ面部を有し、
前記固定部は、前記縦框に対して固定される縦框固定部と、前記樹脂引き寄せ面部と略平行に配置され前記本体部内に埋設される金属引き寄せ面部とを有してなることを特徴とするサッシ。
【請求項２】
前記縦框は室内側壁が外周側に延出された室内延出部を有し、該室内延出部の室外側面には長手方向に沿って室内保持部が形成され、該室内保持部に前記固定部の縦框固定部が保持固定されることを特徴とする請求項１記載のサッシ。
【請求項３】
前記縦框は室外側壁が外周側に延出された室外延出部を有し、該室外延出部の室内側面には長手方向に沿って室外保持部が形成され、該室外保持部に加熱発泡材が保持されることを特徴とする請求項１または２記載のサッシ。
【請求項４】
前記樹脂引き寄せ面部と金属引き寄せ面部は、それぞれ前記フィン部に対して傾斜面状に形成されてなることを特徴とする請求項１〜３のいずれか１項に記載のサッシ。
【発明の詳細な説明】
【技術分野】
【０００１】
本発明は、建物開口部に設けられる枠体内に障子を走行自在に納めたサッシに関し、特に障子を構成する縦框の上端部に火災発生時における障子の引き寄せ構造を設けたサッシに関する。
【背景技術】
【０００２】
建物開口部に設けられる枠体内に内外障子を納めたサッシとしては、内外障子を引き違い状に走行自在とした引き違いサッシや、一方の障子を走行自在とした片引きサッシがある。サッシには、火災が発生した場合にも、一定時間以上、閉塞状態を維持する防火性能が求められる。防火性能を十分に確保するためには、サッシが高温に晒されたとしても、サッシを構成する枠体と障子との位置関係をそのままに保つことで、枠体と障子の間に隙間を生じさせないようにすることが重要である。
【０００３】
サッシには、樹脂製のサッシはもちろんのこと、金属製のサッシにおいても、樹脂部材が各所に用いられている。このような樹脂部材は、火災時の高温に晒されると溶融するから、樹脂部材が溶融しても枠体と障子の位置関係が保たれるようにする必要がある。樹脂サッシにおいては、例えば枠体側と障子側にそれぞれ金属製の部品を設け、火災発生時にはそれらが掛かり合うようにすることで、障子の脱落を防ぐようにしたものが知られている。このようなサッシとしては、例えば特許文献１に挙げるようなものがある。
【先行技術文献】
【特許文献】
【０００４】
【特許文献１】特開２０１０−２６５６４６号公報
【発明の概要】
【発明が解決しようとする課題】
【０００５】
金属製のサッシにおいては、火災時に高温に晒されることで熱膨張が生じ、枠体を構成する枠材や障子を構成する框材が大きく伸びる現象が発生する。枠材や框材の端部に隙間がある場合には、これらの部材は長手方向に伸びていくが、隙間がない場合には、それ以上伸びることができないため、反りが発生して部材が屈曲する。このような屈曲が発生すると、枠体と障子の間には隙間が生じるから、その隙間から火炎が侵入し、防火性能を十分に確保することができない。
【０００６】
サッシの障子を構成する縦框の上下端部には、それぞれ上枠に形成される上レール部に対する上振止部品と、下枠に形成されるレール部に対する下振止部品とが設けられる。上下振止部品は、障子を開閉するのに伴って上レール部またはレール部に摺接するから、障子の円滑な開閉のためには樹脂材で形成する必要がある。しかし、火災が発生した場合には樹脂製の振止部品は溶融してしまうから、この場合にも縦框を室内側に引き寄せた状態を維持する必要があった。
【０００７】
本発明は前記課題を鑑みてなされたものであり、サッシの障子を構成する縦框について、火災発生時にも室内外方向の振れを防止して確実に室内側面を縦枠の気密材に当接した状態を維持し、隙間の発生を防止することのできるサッシを提供することを目的とする。
【課題を解決するための手段】
【０００８】
前記課題を解決するため、請求項１の発明に係るサッシは、建物開口部に設けられる枠体内に障子を走行自在に納めたサッシにおいて、
前記枠体を構成する上枠には前記障子の上辺を案内する上レール部が長手方向に沿って形成され、前記枠体を構成する下枠には前記障子の下辺を案内するレール部が長手方向に沿って形成され、前記障子を構成する縦框の上端部及び／または下端部には前記上レール部またはレール部に摺接する案内溝を有した振止部品が設けられ、
前記振止部品は、前記案内溝を有する樹脂製の本体部と、該本体部に対して取付けられる金属製の固定部とを有し、
前記本体部は、前記枠体を構成する縦枠の長手方向に沿って形成されるフィン部に対して当接自在な樹脂引き寄せ面部を有し、
前記固定部は、前記縦框に対して固定される縦框固定部と、前記樹脂引き寄せ面部と略平行に配置され前記本体部内に埋設される金属引き寄せ面部とを有してなることを特徴として構成されている。
【０００９】
請求項１に係る発明によれば、縦框の上端部または下端部において、火災発生時に振止部品の本体部が脱落しても、本体部と一体化された金属製の固定部が縦框にも固定されていることでそのまま残り、金属引き寄せ面部によって縦框を室内側に引き寄せた状態を維持することができる。
【００１０】
また、請求項２の発明に係るサッシは、前記縦框は室内側壁が外周側に延出された室内延出部を有し、該室内延出部の室外側面には長手方向に沿って室内保持部が形成され、該室内保持部に前記固定部の縦框固定部が保持固定されることを特徴として構成されている。
【００１１】
請求項２に係る発明によれば、固定部を縦框に容易に固定できると共に、金属製の固定部が外部に露出しないようにして意匠性を悪化させることがないようにすることができる。
【００１２】
さらに、請求項３の発明に係るサッシは、前記縦框は室外側壁が外周側に延出された室外延出部を有し、該室外延出部の室内側面には長手方向に沿って室外保持部が形成され、該室外保持部に加熱発泡材が保持されることを特徴として構成されている。
【００１３】
請求項３に係る発明によれば、火災発生時に室外保持部とフィン部との間の空間を充填して隙間を塞ぐことができ、防火性能を高くすることができる。
【００１４】
そして、請求項４の発明に係るサッシは、前記樹脂引き寄せ面部と金属引き寄せ面部は、それぞれ前記フィン部に対して傾斜面状に形成されてなることを特徴として構成されている。
【００１５】
請求項４に係る発明によれば、樹脂引き寄せ面部、金属引き寄せ面部共にフィン部に対し斜めに当接することとなるので、縦框を確実に室内側に引き寄せることができる。
【発明の効果】
【００１６】
本発明に係るサッシによれば、火災発生時にも残る金属製の固定部により、縦框の室内外方向の振れを防止して確実に室内側面を縦枠の気密材に当接した状態を維持し、隙間の発生を防止することができる。
【図面の簡単な説明】
【００１７】
【図１】本実施形態におけるサッシの縦断面図である。
【図２】サッシの横断面図である。
【図３】図２のうち内障子の枠側縦框及び縦枠付近の拡大図である。
【図４】框体の上端部における枠側縦框及び縦枠付近拡大横断面図である。
【図５】上振止部品の分解斜視図である。
【図６】固定部及び加熱発泡材を取付けた上振止部品の斜視図である。
【図７】上振止部品を取付けた枠側縦框の上端付近斜視図である。
【図８】下振止部品の分解斜視図である。
【図９】固定部及び加熱発泡材を取付けた下振止部品の斜視図である。
【図１０】下振止部品を取付けた枠側縦框の下端付近斜視図である。
【図１１】框体の部分拡大正面図である。
【図１２】火災発生時の状態での框体の上端部における枠側縦框及び縦枠付近拡大横断面図である。
【発明を実施するための形態】
【００１８】
本発明の実施形態について図面に沿って詳細に説明する。図１には本実施形態におけるサッシの縦断面図を、図２にはサッシの横断面図を、それぞれ示している。これら各図に示すように、本実施形態のサッシは、上枠１０と下枠１１及び左右の縦枠１２，１２を方形状に枠組みしてなる枠体１内に内障子２と外障子３を引き違い状に納めた引き違いサッシである。内障子２と外障子３は、上框２０と下框２１、枠側縦框２２及び召合わせ框２３を方形状に框組みしてなる框体４内にガラス板からなるパネル体５を納めてなる。
【００１９】
枠体１を構成する上枠１０の内周面には、内障子２と外障子３をそれぞれ案内する室内外２条の上レール部１０ａが長手方向に沿って形成されている。また、下枠１１の内周面には、内障子２と外障子３をそれぞれ案内する室内外２条のレール部１１ａが長手方向に沿って形成されている。
【００２０】
内障子２が配置される側の縦枠１２の内周面には、内障子２の外周面と対向する位置にフィン部１２ａが形成され、外障子３が配置される側の縦枠１２の内周面には、外障子３の外周面と対向する位置にフィン部１２ａが形成される。
【００２１】
框体４を構成する上框２０の上側には、上枠１０の上レール部１０ａに案内される凹状の案内溝２０ａが形成されている。下框２１の下側には、下枠１１のレール部１１ａに載置されて障子を走行自在とする戸車２４が設けられている。
【００２２】
枠側縦框２２は、室内側面の外周端部が外周側に延出された室内延出部２２ａと、室外側面の外周端部が外周側に延出された室外延出部２２ｂとを有し、室内延出部２２ａ及び室外延出部２２ｂで囲まれた領域により縦枠１２のフィン部１２ａを飲み込んでいる。
【００２３】
枠側縦框２２の構成につきより詳細に説明する。図３には、図２のうち内障子２の枠側縦框２２及び縦枠１２付近の拡大図を示している。枠側縦框２２の室内延出部２２ａには、室外側面に凹状の室内保持部２２ｃが形成されている。また、枠側縦框２２の室外延出部２２ｂには、室内側面に凹状の室外保持部２２ｄが形成されている。
【００２４】
枠側縦框２２の室内延出部２２ａと室外延出部２２ｂの間の領域には、縦框中間引き寄せ部材２５が設けられている。縦框中間引き寄せ部材２５は、通常時において縦枠１２のフィン部１２ａに当接して枠側縦框２２を室内側に引き寄せる傾斜面状の樹脂引き寄せ面部２５ｂを有した樹脂部２５ａと、樹脂部２５ａと一体化された金属部２５ｃとからなっている。内障子２を閉じた際には、樹脂引き寄せ面部２５ｂによって枠側縦框２２を室内側に引き寄せ、縦枠１２に設けられる気密材１２ｂに枠側縦框２２を押し付けることによって、内障子２の気密性が高くなるようにしている。
【００２５】
金属部２５ｃは、ビス止めによって枠側縦框２２に固定されると共に、樹脂引き寄せ面部２５ｂと平行な金属引き寄せ面部２５ｄを有している。なお、金属部２５ｃにはビス止めのための孔が形成されているが、この孔は長孔状とされており、金属部２５ｃの固定位置を調整できるようになっている。火災発生時において、樹脂部２５ａが脱落しても、枠側縦框２２に固定された金属部２５ｃの金属引き寄せ面部２５ｄが縦枠１２のフィン部１２ａに当接することで、枠側縦框２２を室内側に引き寄せた状態を維持することができる。
【００２６】
室外延出部２２ｂの室外保持部２２ｄには、長手方向に沿って加熱発泡材２２ｅが設けられている。室外保持部２２ｄは左右端部がポケット状をなしているので、室外保持部２２ｄの両端部をカシメ固定することで、粘着テープを用いることなく加熱発泡材２２ｅを枠側縦框２２に固定することができる。これによって、粘着力の経年劣化による加熱発泡材２２ｅの脱落を防止することができる。
【００２７】
枠側縦框２２の上下端部においては、火災発生時にも枠側縦框２２を室内側に引き寄せるための構造が設けられている。図４には、框体４の上端部における枠側縦框２２及び縦枠１２付近拡大横断面図を示している。枠側縦框２２の上端部には、上枠１０の上レール部１０ａに対して摺接して框体４の振止めをなす上振止部品２６が設けられている。
【００２８】
上振止部品２６は、枠側縦框２２の中空内部に挿入される樹脂製の本体部２６ａと、枠側縦框２２の室内延出部２２ａと本体部２６ａの両方に固定される金属製の固定部２６ｄとを一体的としてなるものである。図５には、上振止部品２６の分解斜視図を示している。この図に示すように、上振止部品２６を構成する本体部２６ａは、上枠１０の上レール部１０ａに摺接する細幅溝状の案内溝２６ｂと、引き寄せ部材２５の引き寄せ部２５ａを上端まで連続させる樹脂引き寄せ面部２６ｃとを有している。
【００２９】
本体部２６ａに対して、金属製の固定部２６ｄと加熱発泡材２６ｇとが取付けられる。固定部２６ｄは、樹脂引き寄せ面部２６ｃと平行な金属引き寄せ面部２６ｆを室外側に備え、室内側には枠側縦框２２に固定される縦框固定部２６ｅを有している。本体部２６ａには上下に爪部２６ｈが形成されていて、固定部２６ｄの上下端部を爪部２６ｈに係合させることで、本体部２６ａと固定部２６ｄとが一体化される。また、本体部２６ａには火災発生時に固定部２６ｄが脱落しないように支持する受け部材２６ｉも取付けられる。
【００３０】
図６には、固定部２６ｄ及び加熱発泡材２６ｇを取付けた上振止部品２６の斜視図を示している。この図に示すように、固定部２６ｄを本体部２６ａに一体化することで、固定部２６ｄの縦框固定部２６ｅが室内側に露出し、金属引き寄せ面部２６ｆは本体部２６ａ内に埋設されて見えないようになる。
【００３１】
図７には、上振止部品２６を取付けた枠側縦框２２の上端付近斜視図を示している。この図に示すように、上振止部品２６は枠側縦框２２の上端部を覆うように取付けられる。このとき、固定部２６ｄの縦框固定部２６ｅは、枠側縦框２２の室内延出部２２ａに形成された室内保持部２２ｃに対して係止固定されている。図４に示すように、室内保持部２２ｃは左右端部がポケット状をなしており、固定部２６ｄの縦框固定部２６ｅは左右端部にそれぞれ脚部を有してなり、縦框固定部２６ｅを室内保持部２２ｃに係止させることができる。
【００３２】
枠側縦框２２の下端部には、下振止部品２７が設けられる。図８には、下振止部品２７の分解斜視図を示している。この図に示すように、下振止部品２７も、樹脂製の本体部２７ａと金属製の固定部２７ｄとを一体化してなり、さらに本体部２７ａの室外側面には加熱発泡材２７ｇが設けられる。
【００３３】
下振止部品２７の本体部２７ａは、下枠１１のレール部１１ａに摺接する細幅溝状の案内溝２７ｂと、引き寄せ部材２５の引き寄せ部２５ａを下端まで連続させる樹脂引き寄せ面部２７ｃとを有している。また、固定部２７ｄは、縦框固定部２７ｅと金属引き寄せ面部２７ｆとを有している。
【００３４】
図９には、固定部２７ｄ及び加熱発泡材２７ｇを取付けた下振止部品２７の斜視図を示している。この図に示すように、固定部２７ｄを本体部２７ａに一体化することで、固定部２７ｄの縦框固定部２７ｅが室内側に露出し、金属引き寄せ面部２７ｆは本体部２７ａ内に埋設されて見えないようになる。
【００３５】
図１０には、下振止部品２７を取付けた枠側縦框２２の下端付近斜視図を示している。この図に示すように、下振止部品２７は枠側縦框２２の下端部を覆うように取付けられる。このとき、固定部２７ｄの縦框固定部２７ｅは、枠側縦框２２の室内延出部２２ａに形成された室内保持部２２ｃに対して係止固定されている。
【００３６】
図１１には、框体４の部分拡大正面図を示している。この図に示すように、上框２０と下框２１は、それぞれ端面が枠側縦框２２の側面に突き当てられて連結される。上振止部品２６は、枠側縦框２２の上端部に設けられると共に、枠側縦框２２には金属製の受け部材２６ｉが固定されている。受け部材２６ｉは、上振止部品２６を構成する固定部２６ｄの下方に水平面を有するように固定されている。火災発生時に上振止部品２６の本体部２６ａが脱落した場合、固定部２６ｄは縦框固定部２６ｅが枠側縦框２２の室内保持部２２ｃに対してスライド可能となるように係止されているため、そのままでは固定部２６ｄがスライドして落下してしまうこととなるが、受け部材２６ｉを設けていることで、固定部２６ｄの落下を防止している。なお、下振止部品２７にあっては、火災発生時に枠側縦框２２が長手方向に伸び、下枠１１の内周面に突き当たるために、固定部２７ｄが落下することはない。
【００３７】
図１２には、火災発生時の状態での框体４の上端部における枠側縦框２２及び縦枠１２付近拡大横断面図を示している。図１２（ａ）は、加熱発泡材２２ｅと加熱発泡材２６ｇの両方が存在する上下方向位置での断面図、図１２（ｂ）は、図１２（ａ）より上方であって加熱発泡材２２ｅのみが存在する上下方向位置での断面図である。この図に示すように、火災発生時にサッシが高温に晒されると、樹脂材からなる上振止部品２６は溶融して脱落する。しかし、金属製の固定部２６ｄは、縦框固定部２６ｅで枠側縦框２２に固定されているから、そのままの位置で残った状態となる。そして、固定部２６ｄの金属引き寄せ面部２６ｆが縦枠１２のフィン部１２ａに当接することにより、枠側縦框２２を室内側に引き寄せた状態を維持し、縦枠１２の気密材１２ｂが枠側縦框２２の室内側面に当接した状態を維持して隙間の発生を防止することができる。
【００３８】
また、火災発生時には、上振止部品２６に設けられた加熱発泡材２６ｇが発泡して体積が増加し、枠側縦框２２の中空部上端部を閉塞する。これによって、枠側縦框２２の中空内部と外部とを塞いで可燃ガスの流通などを防止することができる。
【００３９】
さらに、枠側縦框２２の室外保持部２２ｄに保持された加熱発泡材２２ｅも、火災発生時には発泡し、室外保持部２２ｄとフィン部１２ａとの間の空間を長手方向に沿って充填することができる。これによって、枠側縦框２２と縦枠１２との間の隙間を塞いで防火性能を高くすることができる。
【００４０】
下振止部品２７にあっても同様であり、火災発生時に本体部２７ａが溶融して脱落しても、縦框固定部２７ｅで枠側縦框２２に固定されている金属製の固定部２７ｄが残るので、固定部２７ｄの金属引き寄せ面部２７ｆが縦枠１２のフィン部１２ａに当接することにより、枠側縦框２２を室内側に引き寄せることができる。また、下振止部品２７の加熱発泡材２７ｇも発泡して枠側縦框２２の中空内部下端部を閉塞する。なお、本実施形態では内障子２の枠側縦框２２について説明したが、外障子３の枠側縦框２２についても同様である。
【００４１】
このように、上振止部品２６と下振止部品２７について、それぞれ樹脂製の本体部２６ａ，２７ａに金属製で金属引き寄せ面部２６ｆ，２７ｆを有する固定部２６ｃ，２７ｃを固定すると共に、固定部２６ｃ，２７ｃは枠側縦框２２に対しても固定されていることにより、火災発生時に本体部２６ａ，２７ａが脱落しても固定部２６ｃ，２７ｃは残るので、金属引き寄せ面部２６ｆ，２７ｆが縦枠１２のフィン部１２ａに対して当接し、枠側縦框２２の室内側への引き寄せを維持することが可能となる。ここで、金属製の固定部２６ｃ，２７ｃは通常時には外部に全く露出しないから、意匠性を悪化させることがなく、また、簡単な部品で火災発生時の隙間発生防止をなすことができる。
【００４２】
図１に示すように、上框２０には上枠１０の上レール部１０ａと対向する部分に気密材２０ｂが設けられている。この気密材２０ｂは、中空状に形成された部分からヒレ状の部分が突出し、上レール部１０ａに対して当接している。気密材２０ｂは加熱されると硬化する材料によって形成されており、火災発生時において気密材２０ｂが硬化した後に上框２０に反りが発生したとしても、硬化した気密材２０ｂが割れることのないようにしている。
【００４３】
また、気密材２０ｂの中空状に形成された部分は、ヒレ状の部分の根元部が凹状となっている。これにより、内障子２や外障子３を開閉した際に、障子が室内外方向に振れて、ヒレ状の部分が中空状の部分と上レール部１０ａとの間に挟まり、開閉が重くなることを防止している。
【００４４】
図１と図１１に示すように、上框２０の案内溝２０ａ内には、長手方向中間位置に金属製の上框中間振止部品２８が設けられている。上框中間振止部品２８は、案内溝２０ａに略沿う形状を有すると共に、案内溝２０ａを構成する両側壁に当接する当接片を有して構成されている。上框中間振止部品２８により、火災発生時に上框２０の反りを抑制することができる。これによって、火災発生時に上框２０が大きく反ることにより気密材２０ｂに割れが生じることを防止し、また、気密材２０ｂと上レール部１０ａの間に隙間が生じることを防止することができる。
【００４５】
図１と図１１に示すように、下框２１の長手方向中間位置には、金属製の下框中間引き寄せ部材２９が設けられている。下框中間引き寄せ部材２９は、下框２１に固定される固定部２９ａと、固定部２９ａから下方に垂下され傾斜面状とされた引き寄せ面部２９ｂとを有している。火災発生時に下框２１が下枠１１側に近づくと、引き寄せ面部２９ｂが下枠１１のレール部１１ａに当接し、下框２１を室内側に引き寄せる。これにより、下枠１１と下框２１の間に隙間を生じさせないようにすることができる。
【００４６】
以上、本発明の実施形態について説明したが、本発明の適用は本実施形態には限られず、その技術的思想の範囲内において様々に適用されうるものである。
【符号の説明】
【００４７】
１    枠体
２    内障子
３    外障子
４    框体
５    パネル体
１０    上枠
１０ａ  上レール部
１１    下枠
１１ａ  レール部
１２    縦枠
１２ａ  フィン部
１２ｂ  気密材
２０    上框
２１    下框
２２    枠側縦框
２２ａ  室内延出部
２２ｂ  室外延出部
２２ｃ  室内保持部
２２ｄ  室外保持部
２２ｅ  加熱発泡材
２３    召合わせ框
２６    上振止部品
２６ａ  本体部
２６ｂ  案内溝
２６ｃ  樹脂引き寄せ面部
２６ｄ  固定部
２６ｅ  縦框固定部
２６ｆ  金属引き寄せ面部
２７    下振止部品
２７ａ  本体部
２７ｂ  案内溝
２７ｃ  樹脂引き寄せ面部
２７ｄ  固定部
２７ｅ  縦枠固定部
２７ｆ  金属引き寄せ面部
【図１】
2014070433.tif 000003
【図２】
2014070433.tif 000004
【図３】
2014070433.tif 000005
【図４】
2014070433.tif 000006
【図５】
2014070433.tif 000007
【図６】
2014070433.tif 000008
【図７】
2014070433.tif 000009
【図８】
2014070433.tif 000010
【図９】
2014070433.tif 000011
【図１０】
2014070433.tif 000012
【図１１】
2014070433.tif 000013
【図１２】
2014070433.tif 000014